(57)【要約】【課題】ポップコーンが放出される開口部に開閉蓋を備え、製造された直後のポップコーンに触れにくい構造とし、幼児や子供だけでも遊ぶことのできるポップコーン製造玩具を提供する。【解決手段】略円形の本体部及びこの本体部から水平に突出する前縁部を備えた台部と、この台部における本体部に載置固定される略半円球状のカバー部とで形成され、前記本体部の内部にヒータープレートや加熱プレートを有し、前記本体部の側方にポップコーンを取り出す開口部を有するポップコーン製造玩具であって、前記開口部の開口を開閉する開閉蓋を構成した。【選択図】図１
2006334019.tif 000002
【特許請求の範囲】
【請求項１】
略円形の本体部及びこの本体部から水平に突出する前縁部を備えた台部と、この台部における本体部に載置固定される略半円球状のカバー部とで形成され、前記本体部の内部にヒータープレートや加熱プレートを有し、前記本体部の側方にポップコーンを取り出す開口部を有するポップコーン製造玩具であって、前記開口部の開口を開閉する開閉蓋を備えたことを特徴としたポップコーン製造玩具。
【請求項２】
請求項１において、前記本体部の内部にヒータープレートや加熱プレートが内設された内筒部を有し、内筒部の外周には開口部側が低く、開口部と逆側が高くされた環状の傾斜底部を有することを特徴としたポップコーン製造玩具。
【請求項３】
請求項１又は２において、前記開閉蓋と前記カバー部には、ポップコーン製造玩具内の熱気を放熱する為の通気孔が各々形成されていることを特徴としたポップコーン製造玩具。
【請求項４】
請求項１乃至３のいずれか１項において、前記開閉蓋の両側に略三角形状の側壁板が形成され、前記側壁板の外側には、各々短円柱状に突出する突起体を有し、前記開閉蓋は、前記突起体によって、前記開口部に回動自在に軸架されていることを特徴としたポップコーン製造玩具。
【請求項５】
請求項１乃至４のいずれか１項において、前記開閉蓋の内側上方に、前記本体部と係合する係合凸部を有することを特徴としたポップコーン製造玩具。
【発明の詳細な説明】
【技術分野】
【０００１】
本発明は、乾燥コーンを投入してポップコーンを製造することのできる玩具に関するものです。
【背景技術】
【０００２】
今日使用されているポップコーン製造玩具は、加熱容器を玩具本体の内部に有し、この加熱容器を覆う中空カバーを玩具の本体に被せる構造とし、この玩具本体に被せたカバーの上部からコーンを加熱容器の内部に投入可能としているものです。
そして、加熱容器に投入されて加熱容器の内部で加熱されることにより、コーンが膨張破裂して製造されるポップコーンを加熱容器から溢れ出るようにしており、加熱容器から溢れたポップコーンをカバーの側方から玩具本体の外部に落下させ、落下したポップコーンを受け皿などに受けることにより、食することができるようにされているものです。
【０００３】
また、特開２００２−３２５９８２号公報「ポップコーン製造機玩具」に示すポップコーン製造玩具のようにポップコーンが放出される開口部には蓋が無く、比較的容易に製造された直後の熱せられたポップコーンに触れることができる為に、大人が一緒に遊んで注意しなければならなかった。
【特許文献１】特開２００２−３２５９８２号
【発明の開示】
【発明が解決しようとする課題】
【０００４】
そこで、本発明は、上記従来技術の問題点に斯かる実情に鑑みなされたもので、ポップコーンが放出される開口部に開閉蓋を備え、製造された直後のポップコーンに触れにくい構造とし、幼児や子供だけでも遊ぶことのできるポップコーン製造玩具を提供することを課題とする。
【課題を解決するための手段】
【０００５】
請求項１記載の発明は、略円形の本体部及びこの本体部から水平に突出する前縁部を備えた台部と、この台部における本体部に載置固定される略半円球状のカバー部とで形成され、前記本体部の内部にヒータープレートや加熱プレートを有し、前記本体部の側方にポップコーンを取り出す開口部を有するポップコーン製造玩具であって、前記開口部の開口を開閉する開閉蓋を備えたことを特徴とする。
【０００６】
請求項２記載の発明は、請求項１において、前記本体部の内部にヒータープレートや加熱プレートが内設された内筒部を有し、内筒部の外周には開口部側が低く、開口部と逆側が高くされた環状の傾斜底部を有することを特徴とする。
【０００７】
請求項３記載の発明は、請求項１又は２において、前記開閉蓋と前記カバー部には、ポップコーン製造玩具内の熱気を放熱する為の通気孔が各々形成されていることを特徴とする。
【０００８】
請求項４記載の発明は、請求項１乃至３のいずれか１項において、前記開閉蓋の両側に略三角形状の側壁板が形成され、前記側壁板の外側には、各々短円柱状に突出する突起体を有し、前記開閉蓋は、前記突起体によって、前記開口部に回動自在に軸架されていることを特徴とする。
【０００９】
請求項５記載の発明は、請求項１乃至４のいずれか１項において、前記開閉蓋の内側上方に、前記本体部と係合する係合凸部を有することを特徴とする。
【発明の効果】
【００１０】
請求項１記載の発明によれば、略円形の本体部及びこの本体部から水平に突出する前縁部を備えた台部と、この台部における本体部に載置固定される略半円球状のカバー部とで形成され、前記本体部の内部にヒータープレートや加熱プレートを有し、前記本体部の側方にポップコーンを取り出す開口部を有するポップコーン製造玩具であって、前記開口部の開口を開閉する開閉蓋を備えるとによって、製造された直後のポップコーンに触れにくい構造とし、幼児や子供だけでも遊ぶことのできるポップコーン製造玩具を提供することができる。
【００１１】
請求項２記載の発明によれば、請求項１に記載の本体部の内部にヒータープレートや加熱プレートが内設された内筒部を有し、内筒部の外周には開口部側が低く、開口部と逆側が高くされた環状の傾斜底部を有することによって、ポップコーン製造玩具で、ポップコーンを製造した後、内筒部の外周に位置する傾斜底部に排出されたポップコーンは、該傾斜底部の傾斜によって、比較的容易に開閉蓋を備えた開口から取り出しを行うことが可能である。
【００１２】
請求項３記載の発明によれば、請求項１又は２に記載の開閉蓋とカバー部には、ポップコーン製造玩具内の熱気を放熱する為の通気孔が各々形成され、ポップコーン製造玩具の上方に位置するカバー部の通気孔からは、ポップコーン製造玩具内の熱せられた熱気は排気され、ポップコーン製造玩具の下方に位置する開閉蓋の通気孔からは冷えた空気を吸気される。これにより、ポップコーン製造玩具内の熱気を円滑に排気し、ポップコーン製造玩具自体の温度が上昇しないようにすることができる。また、開閉蓋を開くと、より多くの冷えた通気を吸気することができ、製造された直後の熱せられたポップコーン自体の温度をも低下させることも可能である。
【００１３】
請求項４記載の発明によれば、請求項１乃至３のいずれか１項に記載の開閉蓋の両側に略三角形状の側壁板が形成され、前記側壁板の外側には、各々短円柱状に突出する突起体を有し、前記開閉蓋は、前記突起体によって、前記開口部に回動自在に軸架されていることによって、開閉蓋の紛失を回避することができる。
【００１４】
請求項５記載の発明によれば、請求項１乃至４のいずれか１項に記載の開閉蓋の内側上方に、前記本体部と係合する係合凸部を形成することによって、開閉蓋の該係合凸部を本体部に係合させ、固着することが可能であり、持ち運びする際に、不用意に開閉蓋が開くことがない。
【発明を実施するための最良の形態】
【００１５】
略円形の本体部及びこの本体部から水平に突出する前縁部を備えた台部と、この台部における本体部に載置固定される略半円球状のカバー部とで形成され、前記本体部の内部にヒータープレートや加熱プレートを有し、前記本体部の側方にポップコーンを取り出す開口部を有するポップコーン製造玩具であって、前記開口部の開口を開閉する開閉蓋を備え、前記開閉蓋と前記カバー部には、ポップコーン製造玩具内の熱気を放熱する為の通気孔が各々形成されている。そして、カバー部の頂部には、コーン投入口を有している。
【００１６】
また、本体部の内部にヒータープレートや加熱プレートが内設された内筒部を有し、内筒部の外周には開口部側が低く、開口部と逆側が高くされた環状の傾斜底部を備えている。
【００１７】
そして、開閉蓋の両側に略三角形状の側壁板が形成され、前記側壁板の外側には、各々短円柱状に突出する突起体が形成され、本体部に回動自在に掛架され、また開閉蓋の内側上方に、前記本体部と係合する係合凸部を有している。
【実施例１】
【００１８】
本発明に係るポップコーン製造玩具の実施例は、図１及び図２に示すように、円形の本体部１３１から前方へ矩形に突出した前縁部１６１を備えた台部１０５を有し、この台部１０５における本体部１３１の上には頂部にコーンの投入口を備えたドーム状のカバー部２２０を有するポップコーン製造玩具１００です。
【００１９】
尚、台部１０５は、下面に脚部１２９を有するベース部材１１０の上にボディーカバー１３０を固定しているものであって、このボディーカバー１３０における本体部１３１の内部に加熱プレート３８１やヒータープレート３８７などを有し、本体部１３１の上にカバー部２２０を着脱可能に固定するものです。
【００２０】
このカバー部２２０は、図３に示すように、外カバー本体２２１と上部リング２３１及び下部リング２４１で構成し、外カバー本体２２１の内側に内カバー２５１などの可動部２５０を有するものです。
【００２１】
この外カバー本体２２１は、略半球形状のドーム形であって、外カバー本体２２１の上端には内側に延設される環状の本体リング部２２３を有し、本体リング部２２３の上に上部リング２３１を取り付けるものであって、本体リング部２２３の下端には下部リング２４１を取り付け、外カバー本体２２１の上部である本体リング部２２３の近辺下方に複数の通気孔２２５を有するものです。
【００２２】
そして、上部リング２３１は、環状形状であって、外カバー本体２２１と連続した湾曲面を形成する外周面２３３と内側下方に傾斜する傾斜面２３５とを有して断面形状を山形とされるものです。
この上部リング２３１は、本体リング部２２３の上にネジで固定されるものであって、このネジ止めに際し、本体リング部２２３の下方に３個のガイド体２２７を本体リング部２２３に固定しているものです。
【００２３】
このガイド体２２７は、所要長さの棒状体であって、カバー部２２０を水平な平面に載置したとき、棒状体を鉛直方向として３個のガイド体２２７が並行に垂直とされ、３個のガイド体２２７の内側には鉛直方向に沿った溝をガイド溝として有するものです。
【００２４】
また、外カバー本体２２１の下端に取り付ける下部リング２４１は、環状平板形状でありネジにより外カバー本体２２１に固定されるものであって、この下部リング２４１は、その外周に沿って下方へ僅かに突出する環状突起２４３を有すると共に、この下部リング２４１の下面には同一形状をした３個の係止片２４５を等間隔に有するものです。
【００２５】
この係止片２４５は、下部リング２４１との間に僅かな間隙を有する水平部２４７を下部リング２４１との連接部２４６から外方に突出させた断面をＬ字状とするものであって、水平部２４７と下部リング２４１との間隙を後述するボディーカバー１３０のカバー頂部１３５の肉厚に合わせ、水平部２４７は環状形状とされた下部リング２４１の円の中心を中心とする円弧状の所定幅と長さを有する板状とされるものです。
【００２６】
また、カバー部２２０の内側には内カバー２５１などによる可動部２５０を有し、可動部２５０の頂部とされる投入カップ２９１にはコーンを投入する開口を形成し、この可動部２５０の投入カップ２９１及び笠部２７１をカバー部２２０の上方に突出させるようにしているものです。
【００２７】
この可動部２５０は、図４及び図５に示すように、内カバー２５１や連結筒２６１、内カップ２８１、笠部２７１、投入カップ２９１などで形成するものです。
この内カバー２５１は、円筒状の下部筒部２５６と、下部筒部２５６よりも直径の小さな短円筒状の上部筒部２５２を有し、上部筒部２５２の上端から内側に平坦とされる上端部２５３を有し、更に上端部２５３の内側から下方に短円筒状の内周リング２５５を有するものであって、上部筒部２５２には複数の排熱口２５９を有するものです。
【００２８】
そして、この内周リング２５５の内部に弁体３３１を配置するものであって、この弁体３３１は、内周リング２５５の内縁に摺接する短円筒状の外縁部３３５を有し、外縁部３３５の下端外周には外方へ僅かに突出する外方膨出部３３７を有するものであって、外方膨出部３３７を内周リング２５５の下端に当接するようにして内周リング２５５の内側に外縁部３３５を接するように収納され、連結筒２６１や内カップ２８１を貫通する連結棒３０１に頂部３３３がネジにより固定されるものです。
【００２９】
また、内カバー２５１の上端部２５３に固定する連結筒２６１は、円筒状の筒胴部２６３の下端外周に外方に突出する環状の鍔部２６５を有し、鍔部２６５の外周から突出する３個のガイド突起２６６を有すると共に、鍔部２６５の上面から上方に立設したネジパイプ２６８を有するものです。
【００３０】
この鍔部２６５の外周に設けたガイド突起２６６は、前述の本体リング部２２３から垂下させたガイド体２２７のガイド溝に挿入され、可動部２５０の上下移動を阻害することなく回転方向及び水平方向の振れを阻止するものです。
また、ネジパイプ２６８は、内部にネジを挿入し、連結筒２６１の上端に笠部２７１を取付けることを可能とするものです。
【００３１】
この連結筒２６１の上端に固定する笠部２７１は、下方を広げた皿状の笠部本体２７３を有し、笠部本体２７３の中央に投入口２７５を有すると共に笠部本体２７３の下面内側には板状のガイド片２７７やパイプ状のネジ止め部２７９を有するものです。
このガイド片２７７は、内側を垂直な直線状とし、外側を前記上部リング２３１の傾斜面２３５に合わせた傾斜とする略三角形状の板状体として笠部本体２７３の下面から垂下するように等間隔に６個を設けているものであって、このガイド片２７７の３個にはガイド片２７７の内側に沿ってパイプ状のネジ止め部２７９を有するものであって、連結筒２６１の筒胴部２６３の上端を笠部本体２７３の内側に当接させてネジパイプ２６８に収納されるネジの先端をネジ止め部２７９に螺入して連結筒２６１と笠部２７１とを固定するようにしているものです。
【００３２】
また、この筒胴部２６３の内側には、内カップ２８１を配置するものであって、この内カップ２８１は、カップ形状のカップ胴部２８３の下端に落下口２８５が開口され、カップ胴部２８３の上端外周を笠部２７１の内側に当接して笠部２７１の上方に配置される投入カップ２９１の底部２９４に内カップ２８１のカップ胴部２８３の上端を固定するものです。
【００３３】
そして投入カップ２９１は、カップ形状のカップ本体２９３を有して上方を開口し、底部２９４の中央から下方に筒状の円筒部２９５を有し、円筒部２９５の外方周辺の底部２９４には複数の貫通孔２９７を有するものです。
そして、円筒部２９５の長さは、前述の内カップ２８１の深さよりも短く、この円筒部２９５の下端には円筒部２９５の内径よりも小さな直径とした穴部２９６を有し、円筒部２９５の内部にスプリング３２１と押圧部３１１の押圧部本体３１５とを収納可能としているものです。
【００３４】
この押圧部３１１は、円筒状の押圧部本体３１５の上端に押圧部本体３１５よりも外径の大きな頭部３１３を有し、押圧部本体３１５の内部には内腔部３１７とされる空間を有し、内腔部３１７には押圧部３１１の中心方向に突出する係合部３１８を備えて内腔部３１７の内径を中間で小さくした透孔部３１９を備え、２個の部材をネジにより一体としているものであって、この押圧部本体３１５の下端を投入カップ２９１の円筒部２９５に収納したスプリング３２１の上端に当接するものです。
【００３５】
そして、押圧部本体３１５の外径は、投入カップ２９１の円筒部２９５の内径と略等しい直径として押圧部本体３１５の下方を円筒部２９５に摺動可能に支持し、また、この押圧部３１１の内腔部３１７には、連結棒３０１の上端を挿入して連結棒３０１を押圧部３１１から垂下させているものです。
【００３６】
この連結棒３０１は、棒状の本体の上端に本体よりも外径の大きな頂部膨出部３０５を有すると共に、本体の中間にも外方に突出する環状膨出部３０３を有し、頂部膨出部３０５を押圧部本体３１５の内部に形成した係合部３１８の上方に位置させて係合部３１８により押圧部３１１から連結棒３０１が抜けないようにして押圧部３１１に固定されるものです。
【００３７】
また、この連結棒３０１の環状膨出部３０３よりも上方には、円板状の閉鎖リング３２５を設けるものであって、閉鎖リング３２５は、その外径を内カップ２８１の底に形成した落下口２８５の直径よりも僅かに大きな直径とし、閉鎖リング３２５の中央には、環状膨出部３０３の外径よりも小さく、頂部膨出部３０５の外径よりも大きな透孔３２６を有するものです。
【００３８】
従って、投入カップ２９１の円筒部２９５に収納したスプリング３２１により押圧部３１１を上昇させると、押圧部３１１から垂下させた連結棒３０１の下端に取付けられた弁体３３１が引き上げられ、弁体３３１の外縁部３３５を内カバー２５１の内周リング２５５に摺接させて外方膨出部３３７を内周リング２５５の下端に当接して押圧部３１１や連結棒３０１の上昇を停止させることができるものです。
【００３９】
この連結棒３０１が上方で停止したとき、環状膨出部３０３の上方に設けられた閉鎖リング３２５は、投入カップ２９１の円筒部２９５の下端の近くに位置し、投入カップ２９１の上方開口部分から投入されたコーンを投入カップ２９１の貫通孔２９７から内カップ２８１に落下させ、内カップ２８１に落下したコーンを更に内カップ２８１の落下口２８５から弁体３３１の上に落下させることができるものです。
【００４０】
そして、押圧部３１１を押し下げると、弁体３３１を降下させることができ、弁体３３１を内周リング２５５よりも下方に降下させると、弁体３３１の上に止められていたコーンを本体部１３１の加熱プレート３８１の上に落下させることができるものであって、この連結棒３０１や弁体３３１の降下中に閉鎖リング３２５が内カップ２８１の落下口２８５に載置され、内カバー２５１の内部の熱気が押圧部３１１の周辺に上昇しないようにすることができるものです。
【００４１】
また、弁体３３１から落下したコーンを加熱するヒーターなどを有する台部１０５は、図６に示すように、円形の本体部１３１の中央に加熱プレート３８１を有し、加熱プレート３８１の周囲には傾斜底部３４５を有し、本体部１３１の側方に開閉蓋１８０を備えてポップコーンの取り出しを可能とし、本体部１３１から突出する前縁部１６１にはスイッチ体４２８やハンドルバー４２３を備えたハンドル板４２１及び電源ランプ４１５やヒーターランプ４１７を有するものです。
【００４２】
この台部１０５は、図７に示すように、ベース部材１１０とベース部材１１０の上に載置固定可能なボディーカバー１３０と本体部１３１に収納する受け皿体３４０などにより構成しているものです。
そして、ベース部材１１０は、本体部１３１を形成する円形部分に前縁部１６１を形成する方形を付加した形状の底板１１１を有し、底板１１１の周囲に沿って立設された周壁部１１３を有するものであって、底板１１１には脚部１２９を形成する凹部を前縁部１６１及び前縁部１６１から離れた位置の本体部１３１に各々２個ずつ形成して底板１１１から下方に突出する脚部１２９を備えているものです。
【００４３】
また、周壁部１１３の一部には、コード取付け部１２１として電源コード４３３を引き出すための凹部を有し、底板１１１の本体部１３１における側方にコ字状の切り込みとした開口凹部１１５を有し、この開口凹部１１５の位置の周壁部１１３を不連続部分としているものです。
【００４４】
そして、開口凹部１１５の両端位置では、周壁部１１３から連接される開口側部壁１１８を有し、開口凹部１１５の中央には両開口側部壁１１８を連接する凹部壁１１７を有し、周壁部１１３の不連続部分とされる開口凹部１１５を開口側部壁１１８及び凹部壁１１７により連続させて底板１１１の周囲を囲周しているものであって、両開口側部壁１１８の上端には各々係止凹部１１９を設けているものです。
【００４５】
なお、ベース部材１１０の底板１１１には、矩形の取付け部側壁１２８を立設してヒューズボックスを収納するヒューズ取付け部１２７を形成し、底面には図示しないヒューズ蓋を設けてヒューズボックスのヒューズを交換できるようにしているものであり、又、底板１１１には複数のネジ止めパイプ１２３を立設してボディーカバー１３０とベース部材１１０とを結合できるようにし、更に底板１１１には複数個の通風孔１２５を設けているものです。
【００４６】
このベース部材１１０に固定するボディーカバー１３０も、ベース部材１１０の底板１１１の形状と合わせて円形の本体部１３１と方形の前縁部１６１とを形成するものであって、本体部１３１の周囲に形成された本体部周壁１３３及び前縁部１６１の周囲に形成される前縁部周壁１６７を有し、このボディーカバー１３０は本体部周壁１３３及び前縁部周壁１６７の下端をベース部材１１０の周壁部１１３の上端に嵌合するように載置できるようにしているものです。
【００４７】
そして、このボディーカバー１３０は、本体部周壁１３３の上端から水平方向に所定幅とされる環状形状のカバー頂部１３５を有し、カバー頂部１３５の内側にはカバー頂部１３５から下方に傾斜した内法部１３８を有して内法部１３８の内方に円形の空間を形成しているものです。
【００４８】
また、カバー頂部１３５にはカバー頂部１３５の円形中心を中心とする円形の溝部１３６を有し、溝部１３６の内側のカバー頂部１３５には第１係合穴１５１、第２係合穴１５２及び第３係合穴１５３とされる３個の係合穴を等間隔に有しているものです。
この第１係合穴１５１乃至第３係合穴１５３は、前記下部リング２４１の下面に設けた係止片２４５の水平部２４７を挿入可能とする大きさに開口する挿入部１５５と、挿入部１５５の幅よりも細く、挿入部１５５の内側位置から挿入部１５５の側方に延設される係合部１５６とを有し、係合部１５６は係止片２４５における連接部２４６の厚みよりも僅かに広い幅とされるものです。
【００４９】
そして、この第１係合穴１５１を本体部１３１の側方のカバー頂部１３５に、第２係合穴１５２を前縁部１６１の近傍のカバー頂部１３５に、第３係合穴１５３を前縁部１６１から離れた位置のカバー頂部１３５に配置するように有しているものです。
【００５０】
更に、本体部周壁１３３は、ベース部材１１０の開口凹部１１５の位置に合わせて切除された開口部１４１を有し、この開口部１４１にはカバー頂部１３５に設けられた溝部１３６の底部から連続した開口前縁部１４８を有し、この開口前縁部１４８の上面には係合凹部１４９を有するものです。
【００５１】
そして、本体部周壁１３３の開口部１４１の端部から内方に連接される端部壁１４５を有し、端部壁１４５におけるボディーカバー１３０の内側方向への長さはベース部材１１０の開口側壁部１１８の長さと一致させるものとし、係止凹部１１９の位置に合わせた切欠き部１４７を端部壁１４５の下端に有するものです。
【００５２】
また、ボディーカバー１３０の前縁部１６１は、前縁部周壁１６７の上端に連接する前縁上面部１６３を有し、この前縁上面部１６３にはスイッチ体取付け穴１７１及び電源ランプ４１５やヒーターランプ４１７を取付ける２個の小穴を有し、前縁上面部１６３の一部にベース部材１１０の底板１１１と平行とされる水平部１６５を設けてこの水平部１６５には円形に窪んだハンドル用凹部１７５を形成し、ハンドル用凹部１７５の中央にはボディーカバー１３０の内側に貫通する透通孔１７６を形成しているものです。
【００５３】
そして、ボディーカバー１３０の開口部１４１に取り付ける開閉蓋１８０は、ボディーカバー１３０の本体部周壁１３３に合わせた形状に湾曲して本体部周壁１３３よりも僅かに高い高さとした蓋体板１８１を有し、蓋体板１８１の上端に本体部周壁１３３の上端形状に合わせて開口前縁部１４８を覆う上縁板１８３を有し、上縁板１８３の内側に突出する係合凸部１８４を有すると共に、蓋体板１８１の両側には略三角形状の側壁板１８６を有するものです。また蓋体板１８１の側面には、吸気を行う複数の通気孔１８５が形成されている。
【００５４】
そして、側壁板１８６の外側には、各々短円柱状に突出する突起体１８８を有し、この突起体１８８をベース部材１１０の開口側壁部１１８に設けた係止凹部１１９とボディーカバー１３０の端部壁１４５の下端に形成された切欠き部１４７とにより形成される穴に挿入することにより、この突起体１８８を回転軸として蓋体板１８１により開口部１４１を開閉可能としており、係合凸部１８４を係合凹部１４９に係合して開口部１４１を閉じた状態とすることができるようにするものです。
【００５５】
なお、切欠き部１４７及び係止凹部１１９により形成される穴の大きさ、特に上下方向の径を突起体１８８の直径よりも僅かに大きくし、開閉蓋１８０の回転軸となる突起体１８８の上下方向に僅かな遊びを持たせているものです。
【００５６】
そして、ボディーカバー１３０の本体部１３１に収納する受け皿体３４０は、ボディーカバー１３０の内法部１３８に連続するすり鉢状の外筒部３４３を有し、外筒部３４３の一部は切り欠かれた放出口３５１とされるものです。
また、受け皿体３４０は、外筒部３４３の下端から内側に延設される環状の底部を有するも、この底部は、放出口３５１の位置を最も低く、放出口３５１の対向位置を最も高くするように傾斜した傾斜底部３４５とされるものであり、環状の傾斜底部３４５から放出口３５１の位置で外方に突出する板状の放出底部３５５を有し、放出底部３５５の両側には、外筒部３４３から外方に突出する放出口側壁３５３を有しているものです。
【００５７】
そして、傾斜底部３４５の内側には、円筒状の内筒部３４１を有し、内筒部３４１の上端に環状のプレートカバーリング３６１を有すると共に、内筒部３４１の放出口３５１に面した外周面２３３にはガード板３５７が取り付けられているものです。
このガード板３５７は、放出口３５１の幅と同一又は僅かに広い幅を有し、傾斜底部３４５の直近からプレートカバーリング３６１の上端と略同一高さとされる高さを有するものであって、放出口３５１の方向に突出する板状の突起を垂直方向に備えて厚みのある円弧状に形成されるものです。
【００５８】
従って、受け皿体３４０の外筒部３４３の上端をボディーカバー１３０の本体部１３１の内側にネジ止めし、更に開閉蓋１８０の突起体１８８をベース部材１１０の係止凹部１１９に載置し、また、受け皿体３４０の内筒部３４１の内部に加熱プレート３８１などを挿入配置してベース部材１１０とボディーカバー１３０とを一体とするようにネジ止めすれば、図８に示すように、開口部１４１を開閉する開閉蓋１８０を開口部１４１に有し、本体部１３１の中央に加熱プレート３８１を有すると共にこの加熱プレート３８１の周囲にプレートカバーリング３６１を備えた内筒部３４１を介して加熱プレート３８１の周囲に傾斜底部３４５を有する本体部１３１とすることができるものです。
【００５９】
また、内筒部３４１の開口部１４１に面した外周には、ガード板３５７を備え、図８及び図９に示すように、開口部１４１の内側に位置する部分において、カバー頂部１３５や内法部１３８と内筒部３４１との間に形成される空間の幅をガード板３５７の厚みだけ狭くし、また、この空間から加熱プレート３８１までの距離を遠くしているものです。
【００６０】
そして、プレートカバーリング３６１は、受け皿体３４０の内筒部３４１の外径に一致する外周壁部３６９を有し、外周壁部３６９の上端から内側に水平に延設される環状のリング頂部３６３を有し、リング頂部３６３の内周から上方に垂直に立ち上がる環状膨出部３６５を有し、環状膨出部３６５の内側には下方への傾斜面とした内傾部３６７を有するものです。
【００６１】
また、加熱プレート３８１は、周囲をプレートカバーリング３６１の内傾部３６７の傾斜に合わせた傾斜部とした平板円形のステンレススチール製の板状体であって、中央に穴部３８３を有するものです。
更に、この加熱プレート３８１の下側には加熱プレート３８１の外径よりも小さい外径とされるヒータープレート３８７が配置され、ヒータープレート３８７の上方にはベークライトの上部絶縁板３８５を配置し、ヒータープレート３８７の下方にはベークライトの下部絶縁板３８９を配置しているものです。
【００６２】
このヒータープレート３８７は、ニクロクム線等の発熱体を絶縁板に巻き付けて環状の加熱体又は加熱プレート３８１の中心から放射状に複数の方向に伸びる加熱体を形成しているものであって、このヒータープレート３８７を上部絶縁板３８５及び下部絶縁板３８９で挟んで金属製の支持プレート３７５により加熱プレート３８１の下面に圧接固定しているものです。
【００６３】
この支持プレート３７５は、中央に穴部３７８を有し、加熱プレート３８１よりも僅かに小さな外径の円板部３７６と円板部３７６の外周から立ち上がる外周壁３７９を有し、外周壁３７９の上端を加熱プレート３８１の外周縁近傍に当接して上部絶縁板３８５を加熱プレート３８１に密着させるように上部絶縁板３８５やヒータープレート３８７及び下部絶縁板３８９を円板部３７６に載置してプレート支持リング３７１の環状支持部３７２により円板部３７６の周囲を支持されてプレート支持リング３７１の固定リング部３７３により受け皿体３４０における内筒部３４１の内部上部に固定されるものです。
【００６４】
そして、本体部１３１の中心には、加熱プレート３８１の穴部３８３や支持プレート３７５の穴部３７８を貫通する円柱状の支柱部３９５を有し、支柱部３９５の上端にはキャップ３９１を支柱部３９５に着脱可能に螺入して固定し、攪拌バー３９３を支柱部３９５の上端に固定して加熱プレート３８１の上に配置しているものです。
【００６５】
この攪拌バー３９３は、加熱プレート３８１の直径よりも僅かに短い長さの金属棒であって、支柱部３９５の上端に形成された溝部に挿入され、キャップ３９１により攪拌バー３９３の中央を支柱部３９５の上端に固定されるものです。
また、円柱状の支柱部３９５の下端には鍔部３９６を有し、鍔部３９６の下方に角柱体３９７を有し、ベース部材１１０の底板１１１に回転自在に取り付けられた支柱受けプーリー４０１の支柱受け部４０２に角柱体３９７の下端を挿入するものです。
【００６６】
なお、プレート支持リング３７１やプレートカバーリング３６１、及び、受け皿体３４０、更に支柱部３９５やキャップ３９１及び角柱体３９７は、耐熱性合成樹脂により成形するものです。
そして、支柱受けプーリー４０１は、図１０に示すように、プーリー溝に歯部を有し、中間プーリー４０４へ第２ベルト４１２とするコグドベルトにより接続されるものであって、支柱受けプーリー４０１の上面中央に円筒状に突出する支柱受け部４０２を有するものです。
【００６７】
この支柱受け部４０２は、前記角柱体３９７の形状に一致する角穴４０３を内部に有し、この角穴４０３に角柱体３９７の下端を挿入することにより角柱体３９７を支持して角柱体３９７ひいては攪拌バー３９３を支柱受けプーリー４０１と一体的に回転させるものです。
【００６８】
なお、角柱体３９７の下端を角穴４０３に挿入するに際しては、角穴４０３に弾性体３９９を挿入して角柱体３９７の下端を挿入しており、角柱体３９７は弾性体３９９により上方に押し上げられ、鍔部３９６を支持プレート３７５の下面に当接してキャップ３９１や攪拌バー３９３を加熱プレート３８１の上方所定高さ位置に保つようにしているものです。
【００６９】
また、中間プーリー４０４は、同軸に２個のプーリーを重ねたものであって、１方のプーリーを前述のように支柱受けプーリー４０１と第２ベルト４１２で接続し、他方のプーリーは、コグドベルトである第１ベルト４１１によりプーリー溝に歯部を有するハンドルプーリー４０６と接続するものです。
【００７０】
そして、ハンドルプーリー４０６は、ボディーカバー１３０の水平部１６５に設けたハンドル用凹部１７５の透通孔１７６の位置に回転軸を一致させるように底板１１１に回転自在に取り付けられるものであって、ハンドルプーリー４０６の上にハンドル軸受け部４０７を一体として有し、ハンドル軸受け部４０７には角穴状の軸受け穴４０８を有するものです。
【００７１】
また、ハンドル板４２１は、ハンドル用凹部１７５に外径を合わせた円形の板状であって、ハンドル板４２１の上面周縁部から上方に棒状のハンドルバー４２３を有する形状とされ、ハンドルバー４２３の頂部にはハンドルバー４２３に対して回転自在に取付けられる球形状の頭部４２５を有するものです。
【００７２】
そして、ハンドル板４２１の裏面には透通孔１７６に合わせた短円筒状の軸部を有し、この軸部よりも外径の大きな鍔部を形成する図示しないハンドル取付け部材を有し、ハンドル取付け部材とハンドル板４２１の下面とでハンドル用凹部１７５の底板を挟むようにしてハンドル用凹部１７５にハンドル板４２１を回転自在に固定しているものです。
【００７３】
さらに、このハンドル取付け部材は、前記ハンドル軸受け部４０７に設けた軸受け穴４０８の形状に合わせた角棒を中心から垂下しているものであって、この角棒の下端を軸受け穴４０８に挿入し、ハンドル板４２１の回転に合わせてハンドルプーリー４０６を回転させることができるようにしているものです。
【００７４】
従って、ボディーカバー１３０の前縁部１６１に回転自在に取付けたハンドル板４２１を回転させると、ハンドルプーリー４０６を回転させ、中間プーリー４０４や支柱プーリーを第１ベルト４１１及び第２ベルト４１２により回転させて攪拌バー３９３を回転させることができるものです。
【００７５】
また、ボディーカバー１３０の前縁部１６１に設けるスイッチ体４２８も、スイッチ体取付け穴１７１に回動自在に取り付けるものであって、このスイッチ体４２８は、人形の形状や表面に絵模様を描いた厚板状のものとし、ボディーカバー１３０の内側に水平に伸びる棒状体又は板状体を有するスイッチ体４２８としているものです。
【００７６】
そして、図１１に示すように、この棒状体などにより操作される主スイッチ４３１をベース部材１１０の底板１１１に固定すると共に、ヒューズ取付け部１２７にヒューズボックス４３５を固定し、ヒューズを底板１１１の裏面から取り付け及び取り外し可能にヒューズボックス４３５に収納し、主スイッチ４３１からの電源コード４３３はコード取付け部１２１を介してベース部材１１０の外部に引き出し、主スイッチ４３１からはヒューズを介するようにして内部回路を接続するものです。
【００７７】
この内部回路は、図１２に示すように、主スイッチ４３１を介した一方のリード線はヒューズボックス４３５のヒューズを介して、また、他方のリード線はマイクロスイッチ４４１を介して定電圧回路４５１に接続すると共に、制御スイッチ４５７と直列とされたヒータープレート３８７にも接続するものです。
【００７８】
この定電圧回路４５１は、家庭用の交流１００ボルトから直流の５ボルトを形成して制御回路４５５に出力するものであって、制御回路４５５は、ワンチップのマイクロコンピュータを使用し、タイマー作用や温度制御作用を行う機能を持たせているものです。
【００７９】
即ち、ヒータープレート３８７又は加熱プレート３８１の温度を検出する温度センサー４５９を制御回路４５５に接続し、また、ヒータープレート３８７と直列とした制御スイッチ４５７の制御端子を制御回路４５５に接続し、制御回路４５５は、主スイッチ４３１がオン状態とされたとき、主スイッチ４３１がオン状態とされたときからプログラムタイマーにより設定された１５分程度の一定時間が経過するまでは制御スイッチ４５７をオン状態とするものであって、温度センサー４５９からの入力により、ヒータープレート３８７又は加熱プレート３８１の温度が２５０度乃至２７０度などの設定された一定温度を超えると制御スイッチ４５７をオフ状態とし、温度センサー４５９の検出温度が２５０度などの一定温度以下であると制御スイッチ４５７をオン状態とするものです。
【００８０】
なお、主スイッチ４３１がオン状態とされて１５分などの一定時間が経過することにより制御スイッチ４５７をオフ状態としたときは、主スイッチ４３１を一旦オフ状態として再度オン状態としなければタイマーをリセットすることができず、一定時間が経過すると、主スイッチ４３１が再度操作されない限りは制御スイッチ４５７を再度オン状態とはしない制御回路４５５としているものです。
【００８１】
また、電源ランプ４１５は、発光ダイオードを電圧降下回路と直列として定電圧回路４５１と平行に接続し、主スイッチ４３１がオン状態とされて定電圧回路４５１や制御スイッチ４５７に交流電圧が印加されると点灯するようにしており、ヒーターランプ４１７は、発光ダイオードを制御回路４５５に接続し、制御スイッチ４５７をオン状態とするときに点灯させるようにしているものです。
【００８２】
そして、主スイッチ４３１と直列に挿入されるマイクロスイッチ４４１は、図１３及び図１４に示すように、第２係合穴１５２の内部に取り付けるものであって、第２係合穴１５２の係合部１５６の位置において、カバー頂部１３５の裏面にリード４４３の先端が近接するようにリード４４３を位置させてスイッチ取付け部４４９によりボディーカバー１３０の本体部周壁１３３に固定しているものです。
【００８３】
従って、第２係合穴１５２の挿入部１５５に係止片２４５を挿入し、カバー部２２０を回転させて係止片２４５を係合部１５６の位置に位置させると、係止片２４５の水平部２４７がカバー頂部１３５の下側で係合部１５６の位置に位置し、この水平部２４７がリード４４３を押し下げてマイクロスイッチ４４１のスイッチボタン４４５を押し込み、マイクロスイッチ４４１をオン状態とすることができるものです。
【００８４】
このため、カバー部２２０が正しく台部１０５に取付けられていないときは、主スイッチ４３１をオン状態としても、マイクロスイッチ４４１がオフ状態とされ、ヒータープレート３８７や制御回路４５５に電力が供給されず、カバー部２２０を外した状体では加熱プレート３８１を加熱することができないものです。
【００８５】
また、カバー部２２０は、係止片２４５を係合穴の挿入部１５５に位置させることにより台部１０５への着脱が自在に行えるようにしているも、第１係合穴１５１には係止部２１６を設け、ストッパー体２０１により係止部２１６を挿入部１５５に位置させて係止片２４５が第１係合穴１５１の係合部１５６から外れないようにすることができるようにしているものです。
【００８６】
即ち、第１係合穴１５１には、図１５に示すように、第１係合穴１５１の挿入部１５５における係合部１５６と反対の位置に挿入部１５５と連続してカバー頂部１３５に切り込んだ横溝１５７を設け、この横溝１５７に係止部２１６を挿入可能とするストッパー体２０１を第１係合穴１５１の側方における本体部周壁１３３に設けているものです。
【００８７】
このストッパー体２０１は、図１６に示すように、ベース部材１１０の周壁部１１３及びボディーカバー１３０の本体部周壁１３３に沿って湾曲した板状の外側本体２０３及び内側本体２０５を有し、外側本体２０３と内側本体２０５とを平行に連接する接続部２０７を有するものです。
【００８８】
さらに、外側本体２０３と内側本体２０５とを連接するネジ穴部材２１１を有し、ネジ穴部材２１１には外側本体２０３から内側本体２０５に貫通するネジ穴を有するものであって、内側本体２０５の内側には支持部２０９をも有し、この支持部２０９により板状の係止棒２１５の下端を固定支持し、係止棒２１５の上端には係止部２１６を形成しているものです。
【００８９】
また、本体部周壁１３３の下端には接続部２０７及びネジ穴部材２１１を挿入する凹欠部１５９を有し、内側本体２０５の上方を本体部周壁１３３の内側に当接させ、外側本体２０３の上方を本体部周壁１３３の外表面に当接させるようにして接続部２０７とネジ穴部材２１１とを凹欠部１５９に挿入可能としているものです。
【００９０】
従って、ストッパー体２０１は、内側本体２０５と外側本体２０３とによりベース部材１１０の周壁部１１３やボディーカバー１３０の本体部周壁１３３を挟持して周壁部１１３や本体部周壁１３３に沿って凹欠部１５９の長さの範囲で移動可能とされ、ストッパー体２０１を一方の側（図１６において右奥側）に移動させたとき、係止棒２１５の上端の係止部２１６が第１係合穴１５１の横溝１５７に収納され、挿入部１５５への係止片２４５の挿入や取出しを可能とするものです。
【００９１】
そして、係止片２４５を第１係止穴の係合部１５６に位置させるようにカバー部２２０を回転させ、ストッパー体２０１を図１６における左手前側に移動させると、係止部２１６が挿入部１５５の係合部１５６側の端部に移動し、係止片２４５の水平部２４７が係合部１５６から挿入部１５５に移動することを阻止するものです。
【００９２】
さらに、ベース部材１１０の底板１１１には、立方体形状のネジ受け部２１９を取付け、係止棒２１５の係止部２１６を挿入部１５５における係合部１５６側の端部に位置させたストッパー体２０１の位置でネジ穴部材２１１に螺入したネジの先端をネジ受け部２１９に螺入できるようにしているものです。
【００９３】
従って、カバー部２２０の係止片２４５を係合穴の係合部１５６に位置させた状態を確実に維持することができ、不用意にカバー部２２０を回転させて台部１０５から外れることがないようにすることができるものです。
【００９４】
このように、本実施例に係るポップコーン製造玩具１００は、台部１０５における本体部１３１にカバー部２２０を載置し、カバー部２２０の下部リング２４１における環状突起２４３をカバー頂部１３５に形成した溝部１３６に挿入して係止片２４５によりカバー部２２０を台部１０５に確実に固定することができ、内カバー２５１の下部筒部２５６の下端にプレートカバーリング３６１の環状膨出部３６５を挿入するように、内カバー２５１を降下させて投入カップ２９１の上方開口部から所定量のコーンを投入すると、投入されたコーンを弁体３３１の上に一旦は保持し、スイッチ体４２８を操作してヒータープレート３８７に通電して加熱プレート３８１を加熱したときに押圧部３１１を押し下げると、加熱された加熱プレート３８１の上にコーンを落下させることができるものです。
【００９５】
そして、加熱プレート３８１が高温であっても、内カバー２５１と外カバー本体２２１の二重構造としているため、ポップコーン製造玩具１００の外表面の温度は高温にならず、安全にポップコーンの製造作成を楽しむことができるものです。
また、ポップコーンの製造に際しては、ハンドルバー４２３を操作してハンドル板４２１を回転させると、加熱プレート３８１の上に配置した攪拌バー３９３を回転させることができ、加熱プレート３８１の上に落としたコーンを攪拌することができるものです。
【００９６】
このため、コーンが焼け過ぎないようにすることができると共に、焼きあがって膨張破裂した軽いコーンを上に、焼けていない重いコーンを下にするように混ぜてコーンを焼く楽しみのある遊びを行うことができるものです。
そして、外カバー本体２２１や内カバー２５１を透明な合成樹脂製としていることにより、平板状の加熱プレート３８１の上でコーンが弾け、破裂膨張して変化していく様子を見ることができ、楽しくポップコーンを製造することができるものです。
【００９７】
また、ポップコーンができたときは、投入カップ２９１を持ち上げるようにして可動部２５０を上昇させ、内カバー２５１をプレートカバーリング３６１から浮かせて攪拌バー３９３を回転させると、加熱プレート３８１の上のポップコーンを受け皿体３４０の傾斜底部３４５に移すことができ、開閉蓋１８０を開いてポップコーン製造玩具１００を揺すったり傾けたりすることにより開口部１４１からポップコーンを取り出すことができるものです。
【００９８】
このように、加熱プレート３８１からポップコーンを傾斜底部３４５に移し、開閉蓋１８０を開いてポップコーンを取り出すことにより、高温状体のポップコーンに不用意に触れることを防止することができるものです。
そして、ポップコーンを製造するに際し、スイッチ体４２８を操作して主スイッチ４３１をオン状態としてヒータープレート３８７を通電状態としても、１５分などの所定時間が経過すると制御スイッチ４５７によりヒータープレート３８７への通電が遮断され、再度スイッチ体４２８の操作を行わなければヒータープレート３８７への通電が行われないため、主スイッチ４３１の切り忘れを行っても所定時間後に通電を遮断して安全に使用することができるものです。
【００９９】
また、加熱プレート３８１を清掃するときはカバー部２２０を取り外して清掃を行うも、カバー部２２０の取り外しはドライバーによりストッパー体２０１のネジを緩めてストッパー体２０１を移動させなければならず、子供などが不用意にカバー部２２０を外して加熱プレート３８１などに触れることも防止できるものです。
【０１００】
そして、カバー部２２０が外れた状態では、主スイッチ４３１と直列に設けたマイクロスイッチ４４１によりヒータープレート３８７や制御回路４５５に電力を供給することがなく、加熱プレート３８１の露出状態では加熱プレート３８１が加熱されることのないポップコーン製造玩具１００です。
【０１０１】
また、ポップコーン製造玩具１００の上方に位置するカバー部２２０の通気孔２２５からは、ポップコーン製造玩具１００内の熱せられた熱気は排気され、ポップコーン製造玩具１００の下方に位置する開閉蓋１８０の通気孔１８５からは冷えた空気を吸気される。これにより、ポップコーン製造玩具１００内の熱気を円滑に排気し、ポップコーン製造玩具１００自体の温度が上昇しないようにするものです。また、開閉蓋１８０を開くと、より多くの冷えた通気を吸気することができ、製造された直後の熱せられたポップコーン自体の温度をも低下させるものです。
【図面の簡単な説明】
【０１０２】
【図１】本発明に係るポップコーン製造玩具の外観を示す斜視図。
【図２】本発明に係るポップコーン製造玩具の外観側面図。
【図３】本発明に係るポップコーン製造玩具におけるカバー部を示す一部断面図。
【図４】本発明に係るポップコーン製造玩具における可動部を示す断面図。
【図５】本発明に係るポップコーン製造玩具における可動部の判断面分解図。
【図６】本発明に係るポップコーン製造玩具の台部を示す平面図。
【図７】本発明に係るポップコーン製造玩具における台部の主要部分解図。
【図８】本発明に係るポップコーン製造玩具の開口部周辺を示す斜視図。
【図９】本発明に係るポップコーン製造玩具における本体部の主要断面図。
【図１０】本発明に係るポップコーン製造玩具のベース部材にプーリーを取付ける状態を示す斜視図。
【図１１】本発明に係るポップコーン製造玩具のベース部材に主要部材を取り付けた状態を示す平面図。
【図１２】本発明に係るポップコーン製造玩具の回路構成を示す図。
【図１３】本発明に係るポップコーン製造玩具の第２係合穴周辺を示す斜視図。
【図１４】本発明に係るポップコーン製造玩具におけるマイクロスイッチの取付け構造を示す図。
【図１５】本発明に係るポップコーン製造玩具の第１係合穴周辺を示す斜視図。
【図１６】本発明に係るポップコーン製造玩具のストッパー部材を示す分解斜視図。
【符号の説明】
【０１０３】
１００  ポップコーン製造玩具
１０５  台部
１１０  ベース部材              １１１  底板
１１３  周壁部                  １１５  開口凹部
１１７  凹部壁                  １１８  開口側壁部
１１９  係止凹部                １２１  コード取付け部
１２３  ネジ止めパイプ          １２５  通風孔
１２７  ヒューズ取付け部        １２８  取付け部側壁
１２９  脚部
１３０  ボディーカバー
１３１  本体部                  １３３  本体部周壁
１３５  カバー頂部              １３６  溝部
１３８  内法部                  １４１  開口部
１４５  端部壁                  １４７  切欠き部
１４８  開口前縁部              １４９  係合凹部
１５１  第１係合穴              １５２  第２係合穴
１５３  第３係合穴              １５５  挿入部
１５６  係合部                  １５７  横溝
１５９  凹欠部
１６１  前縁部
１６３  前縁上面部              １６５  水平部
１６７  前縁部周壁              １７１  スイッチ体取付け穴
１７５  ハンドル用凹部          １７６  透通孔
１８０  開閉蓋
１８１  蓋体板                  １８３  上縁板
１８４  係合凸部                １８５  通気孔
１８６  側壁板                  １８８  突起体
２０１  ストッパー体
２０３  外側本体                ２０５  内側本体
２０７  接続部                  ２０９  支持部
２１１  ネジ穴部材              ２１５  係止棒
２１６  係止部
２１９  ネジ受け部
２２０  カバー部
２２１  外カバー本体            ２２３  本体リング部
２２５  通気孔                  ２２７  ガイド体
２３１  上部リング              ２３３  外周面
２３５  傾斜面
２４１  下部リング              ２４３  環状突起
２４５  係止片                  ２４６  連接部
２４７  水平部
２５０  可動部
２５１  内カバー                ２５２  上部筒部
２５３  上端部                  ２５５  内周リング
２５６  下部筒部                ２５９  排熱口
２６１  連結筒                  ２６３  筒胴部
２６５  鍔部                    ２６６  ガイド突起
２６８  ネジパイプ
２７１  笠部                    ２７３  笠部本体
２７５  投入口                  ２７７  ガイド片
２７９  ネジ止め部
２８１  内カップ                ２８３  カップ胴部
２８５  落下口                  ２８７  胴部上端
２９１  投入カップ              ２９３  カップ本体
２９４  底部                    ２９５  円筒部
２９６  穴部                    ２９７  貫通孔
３０１  連結棒                  ３０３  環状膨出部
３０５  頂部膨出部
３１１  押圧部                  ３１３  頭部
３１５  押圧部本体              ３１７  内腔部
３１８  係合部                  ３１９  透孔部
３２１  スプリング
３２５  閉鎖リング              ３２６  透孔
３３１  弁体                    ３３３  頂部
３３５  外縁部                  ３３７  外方膨出部
３４０  受け皿体                ３４１  内筒部
３４３  外筒部                  ３４５  傾斜底部
３５１  放出口                  ３５３  放出口側壁
３５５  放出底部
３５７  ガード板
３６１  プレートカバーリング    ３６３  リング頂部
３６５  環状膨出部              ３６７  内傾部
３６９  外周壁部
３７１  プレート支持リング      ３７３  環状支持部
３７３  固定リング部
３７５  支持プレート            ３７６  円板部
３７８  穴部                    ３７９  外周壁
３８１  加熱プレート            ３８３  穴部
３８５  上部絶縁板              ３８７  ヒータープレート
３８９  下部絶縁板
３９１  キャップ                ３９３  攪拌バー
３９５  支柱部                  ３９６  鍔部
３９７  角柱体
３９９  弾性体
４０１  支柱受けプーリー        ４０２  支柱受け部
４０３  角穴
４０４  中間プーリー
４０６  ハンドルプーリー        ４０７  ハンドル軸受け部
４０８  軸受け穴
４１１  第１ベルト              ４１２  第２ベルト
４１５  電源ランプ              ４１７  ヒーターランプ
４２１  ハンドル板              ４２３  ハンドルバー
４２５  頭部
４２８  スイッチ体
４３１  主スイッチ              ４３３  電源コード
４３５  ヒューズボックス
４４１  マイクロスイッチ        ４４３  リード
４４５  スイッチボタン          ４４９  スイッチ取付け部
４５１  定電圧回路              ４５５  制御回路
４５７  制御スイッチ            ４５９  温度センサー
【図１】
2006334019.tif 000003
【図２】
2006334019.tif 000004
【図３】
2006334019.tif 000005
【図４】
2006334019.tif 000006
【図５】
2006334019.tif 000007
【図６】
2006334019.tif 000008
【図７】
2006334019.tif 000009
【図８】
2006334019.tif 000010
【図９】
2006334019.tif 000011
【図１０】
2006334019.tif 000012
【図１１】
2006334019.tif 000013
【図１２】
2006334019.tif 000014
【図１３】
2006334019.tif 000015
【図１４】
2006334019.tif 000016
【図１５】
2006334019.tif 000017
【図１６】
2006334019.tif 000018